(57)【要約】【課題】野菜、麺類、コルク、ボルト及びナット等の種々の被洗浄物の洗浄及び水切り（特に掛け流し、洗い及び水切りの一連の行為）を迅速かつ確実に行うことができ、かつ、簡易な構造を有する水切り機能付ボウルを提供する。【解決手段】外部に開放された上部開口部を有する容器本体部分と、前記上部開口部の上端部の全周に一体的に設けられた環状の水切り部分と、を具備すること、を特徴とする水切り機能付ボウル。【選択図】図１
0003153645.tif 000002
【実用新案登録請求の範囲】
【請求項１】
外部に開放された上部開口部を有する容器本体部分と、
前記上部開口部の上端部の全周に一体的に設けられた環状の水切り部分と、
を具備すること、
を特徴とする水切り機能付ボウル。
【請求項２】
前記水切り部分の高さと前記容器本体部分の高さとの比が２：８〜４：６であること、
を特徴とする請求項１に記載の水切り機能付ボウル。
【請求項３】
前記水切り部分の上部開口部の上端部が内側に延びる延設部分を有すること、
を特徴とする請求項１又は２に記載の水切り機能付ボウル。
【請求項４】
前記水切り部分が、前記容器本体部分から着脱可能であること、
を特徴とする請求項１〜３のうちのいずれかに記載の水切り機能付ボウル。
【請求項５】
さらに、前記水切り部分の上部開口部に着脱可能な水切り蓋部を具備すること、
を特徴とする請求項１〜４のうちのいずれかに記載の水切り機能付ボウル。
【考案の詳細な説明】
【技術分野】
【０００１】
本考案は、水きり機能付ボウルに関する。より具体的には、野菜、麺類、コルク、ボルト及びナット等の種々の被洗浄物を効果的に洗浄することができる水切り機能付ボウルに関する。
【背景技術】
【０００２】
水切り機能付ボウルとしては、種々の考案や発明がなされており、例えば、調理用ボウルのうちの洗米用ボウルとして使用されるものについては、特許文献１〜４において提案されている考案や発明があるが、いずれも底面部の構成に必ずしも使用者の立場に立った工夫がなされていないため、洗米用ボウルに必要な３つの機能である掛け流しでさらす、洗い研ぐ、水切りするという行為を確実に行うことができないといいう欠点があった。
【０００３】
これに対し、例えば特許文献５においては、米等の掛け流し、洗い、水切りを迅速かつ確実に行うことができる万能ボウルを提供することを意図して、適当口径の開口部を有する器体の一側部に通孔面部を設け、この通孔面部の下端部から底面部中心方向に前傾斜面部を設け、この前傾斜面部の下端縁部に続いて水平底面部を設け、さらにこの水平底面部の他端縁部に続いて後傾斜面部を設けて成ることを特徴とする調理用ボウルが提案されている。
【先行技術文献】
【特許文献】
【０００４】
【特許文献１】実開平６−６８６４８号公報
【特許文献２】登録実用新案第３０２０８６７号公報
【特許文献３】登録実用新案第３０３３８０２号公報
【特許文献４】特開２００３−２４２２１号公報
【特許文献５】特開２００６−２６３２９３号公報
【考案の概要】
【考案が解決しようとする課題】
【０００５】
しかしながら、上記特許文献５において提案されている調理用ボウルでは、確かに米の掛け流し、洗い及び水切りを迅速かつ確実に行うことができるものと考えられるが、通孔面部が一側面にしか設けられておらず、この一側面を選んで掛け流しや水切りをしなければならないため、若干の手間がかかるという問題がある。
【０００６】
また、上記特許文献５に記載の調理用ボウルは、上記通孔面部の下端部から底面部中心方向に設けられた前傾斜面部、前傾斜面部の下端縁部に続いて設けられた水平底面部、及び水平底面部の他端縁部に続いて設けられた後傾斜面部を有するが、このような複雑な構造を有する調理用ボウルの製造工程は若干煩雑になるという問題もある。
【０００７】
そこで、本考案の目的は、野菜、麺類、コルク、ボルト及びナット等の種々の被洗浄物の洗浄及び水切り（特に掛け流し、洗い及び水切りの一連の行為）を迅速かつ確実に行うことができ、かつ、簡易な構造を有する水切り機能付ボウルを提供することにある。
【課題を解決するための手段】
【０００８】
上記の課題を解決すべく、本考案は、
外部に開放された上部開口部を有する容器本体部分と、
前記上部開口部の上端部の全周に一体的に設けられた環状の水切り部分と、
を具備すること、を特徴とする水切り機能付ボウルを提供する。
【０００９】
このような構成によれば、本考案の水切り機能付ボウルでは、環状の水切り部分で方向性を気にすることなく被洗浄物の洗浄及び水切り（特に掛け流し、洗い及び水切りの一連の行為）を迅速かつ確実に行うことができ、かつ、簡易な構造を有することから大量生産に好適である。
【００１０】
上記本考案の水切り機能付ボウルにおいては、前記水切り部分の高さと前記容器本体部分の高さとの比が２：８〜４：６であること、が好ましい。
【００１１】
このような構成によれば、前記水切り部分から水や洗浄液等を効果的に外部に排出することができ、かつ、前記容器本体部分における洗いを効果的に行うことができる。
【００１２】
また、上記本考案の水切り機能付ボウルにおいては、前記水切り部分の上部開口部の上端部が内側に延びる延設部分を有すること、が好ましい。
【００１３】
このような構成によれば、被洗浄物の洗浄及び水切り（特に掛け流し、洗い及び水切りの一連の行為）において、被洗浄物が本考案の水切り機能付ボウルから外部に放出されにくい。
【００１４】
また、上記本考案の水切り機能付ボウルにおいては、前記水切り部分が、前記容器本体部分から着脱可能であること（自由に装着及び脱着が可能であること）、が好ましい。
【００１５】
このような構成によれば、特に掛け流しや水切りを必要としない場合に、前記水切り部分のみを取り外すことができ、本考案の水切り機能付ボウルを通常のボウルとしても使用することができる。
【００１６】
また、上記本考案の水切り機能付ボウルは、さらに、前記水切り部分の上部開口部に着脱可能な水切り蓋部を具備すること、が好ましい。
【００１７】
このような構成によれば、被洗浄物を外部に放出させず内部に入れたままの状態で本考案の水切り機能付ボウルを上下に振ることが可能であり、被洗浄物の水きり等をより確実に行うことができる。
【考案の効果】
【００１８】
本考案の水切り機能付ボウルによれば、野菜、麺類、コルク、ボルト及びナット等の種々の被洗浄物の洗浄及び水切り（特に掛け流し、洗い及び水切りの一連の行為）を迅速かつ確実に行うことができ、かつ、簡易な構造を有するため大量生産に好適である。
【図面の簡単な説明】
【００１９】
【図１】本考案の水切り機能付ボウルの一実施形態の構成を示す概略斜視図である。
【図２】図１に示す水切り機能付ボウルの概略側面図である。
【図３】図１及び図２に示す水切り機能付ボウルの変形例を説明するための概略斜視図である。
【考案を実施するための最良の形態】
【００２０】
以下、本考案の水切り機能付ボウルの一実施形態を図面を参照しながら説明する。なお、重複する説明は省略している場合もあり、図面における各部材の形状や寸法等は、便宜上、実際に本考案の作用効果を奏するために必要な形状や寸法等を必ずしも高精度では表わしていない場合もある。
【００２１】
図１は、本考案の水切り機能付ボウルの一実施形態の構成を示す概略斜視図であり、図２は、図１に示す水切り機能付ボウルの概略側面図である。また、図３は、図１及び図２に示す水切り機能付ボウルの変形例を説明するための概略斜視図である。
【００２２】
図１に示すように、本実施形態の水切り機能付ボウル１は、外部に開放された略円状の上部開口部（図示せず。）を有する略半球状の容器本体部分２と、上部開口部の上端部の全周に一体的に設けられた、一定の幅を有する帯状でかつ環状の網状水切り部分４と、具備する。なお、図１においては、網状水切り部分４の網目が便宜上やや大きめに記載されているが、被洗浄物の種類等によって種々のサイズを選択することができる。
【００２３】
このような構成を有することにより、本実施形態の水切り機能付ボウル１では、環状の網状水切り部分４が３６０°にわたって設けられているため、方向性を気にすることなく被洗浄物の洗浄及び水切り（特に掛け流し、洗い及び水切りの一連の行為）を迅速かつ確実に行うことができ、かつ、簡易な構造を有することから大量生産に好適である。
【００２４】
また、本考案の水切り機能付ボウルでは、図２に示す網状水切り部分４の高さＡと容器本体部分２の高さＢとの比を、本考案の効果を奏する範囲で種々の比に調整することができるが、本実施形態の水切り機能付ボウル１では、例えば２：８〜８：２、更には２：８〜４：６、特に具体的には３：７に調整すればよい。
【００２５】
このような構成を有することにより、容器本体部分２に被洗浄物を入れた状態で網状水切り部分４から水や洗浄液等を効果的に外部に排出することができ、かつ容器本体部分２における洗いを効果的に行うことができる。
【００２６】
また、本実施形態の水切り機能付ボウル１は、図１に示すように、網状水切り部分４の上部開口部の上端部４ａが内側及び外側に若干延びた延設部分を有する。
【００２７】
このような構成のうち、特に延設部分が内側に延びていることにより、被洗浄物の洗浄及び水切り（特に掛け流し、洗い及び水切りの一連の行為）において、被洗浄物が水切り機能付ボウル１から外部に放出されにくいという効果がある。また、延設部分が外側に延びていることにより、使用者がこの部分において水切り機能付ボウル１を掴み易く、水切り機能付ボウル１を使用し易いという効果がある。
【００２８】
変形例として、図示しないが、本実施形態の水切り機能付ボウル１は、網状水切り部分４が、容器本体部分２から着脱可能である（自由に装着及び脱着が可能である）構成を有していてもよい。
【００２９】
着脱可能構造としては、例えば、網状水切り部分４の下端部及び容器本体部分２の上端部において、いずれか一方に雄ネジ部を設けるとともに他方に雌ネジ部を設ける方法や、いずれか一方に凸部を設けるとともに他方に前記凸部が嵌まり込む嵌合孔部を設ける方法等を採用することができる。
【００３０】
このような構成によれば、特に掛け流しや水切りを必要としない場合に、前記網状水切り部分４のみを取り外すことができ、水切り機能付ボウル１を通常のボウルとしても使用することができる。
【００３１】
さらなる変形例として、図３に示すように、本実施形態の水切り機能付ボウル１は、網状水切り部分４の上部開口部に着脱可能な網状水切り蓋部６を具備していてもよい。図３の（ａ）に示すように、この変形例においては、網状水切り部分４の上部開口部の上端部４ａの上に、網状水切り蓋部６が配置されている。
【００３２】
この網状水切り蓋部６は、網状水切り部分４の上部開口部の形状に対応して円状の形状を有しており、網状水切り部分４の上部開口部の上端部４ａに対応する周辺部６ａを具備する。ここで、網状水切り蓋部６は、網状水切り部分４の上部開口部に着脱可能であり、着脱可能構造としては、例えば上記した方法を採用すればよい。
【００３３】
即ち、この変形例における着脱可能構造としては、例えば、網状水切り部分４の上端部４ａ及び網状水切り蓋部６の周辺部６ａにおいて、いずれか一方に雄ネジ部を設けるとともに他方に雌ネジ部を設ける方法や、いずれか一方に凸部を設けるとともに他方に前記凸部が嵌まり込む嵌合孔部を設ける方法等を採用すればよい。
【００３４】
このような構成によれば、被洗浄物を外部に放出させず内部に入れたままの状態で水切り機能付ボウル１を上下に強く振ることが可能であり、被洗浄物の水きり等をより確実に行うことができる。
【００３５】
以上、本考案の水切り機能付ボウルの代表的な実施形態について説明してきたが、本考案は上記実施形態の構成のみに限定されるものではなく、本考案の技術的思想を逸脱しない範囲内で他の種々の設計変更が可能であり、それら設計変更を加えた水切り機能付ボウルも本考案の技術的範囲に含まれる。
【００３６】
例えば、上記実施形態及び変形例における水切り機能付ボウル１では、網状水切り部分４や網状水切り蓋部６を有する態様について説明したが、水切り部分や水切り蓋部は必ずしも網状でなくてもよく、例えば、水切りが可能な複数の通孔を有する構造を有していてもよい。
【００３７】
また、上記実施形態の水切り機能付ボウル１における容器本体部分２は有底円筒形状であっても構わないし、容器本体部分２の底面には、開閉機構（例えば網状部分とこれを覆う蓋部分）を有していても構わない。また、上記実施形態の水切り機能付ボウル１に、長い取っ手を設けても構わない。
【産業上の利用可能性】
【００３８】
本考案の水切り機能付ボウルによれば、野菜、麺類、コルク、ボルト及びナット等の種々の被洗浄物の洗浄及び水切り（特に掛け流し、洗い及び水切りの一連の行為）を迅速かつ確実に行うことができ、かつ、簡易な構造を有するため大量生産に好適である。
【００３９】
また、本考案の水切り機能付ボウルの構造は、例えば、流し台のシンクに応用することも可能である。即ち、この場合は、略直方体状の中空部分を有するシンクにおいて、側面における上部の全周にわたって水切り部分を設ければよい。
【００４０】
したがって、本考案の水切り機能付ボウルは、水に浮くような被洗浄物及び水に沈むような被洗浄物の洗浄及び水切り（特に掛け流し、洗い及び水切りの一連の行為）にも用いることができ、家庭用又は工業用のいずれの用途にも適用可能である。
【符号の説明】
【００４１】
１・・・水切り機能付ボウル、
２・・・容器本体部分、
４・・・網状水切り部分、
４ａ・・・上端部、
６・・・網状水切り蓋部、
６ａ・・・周辺部。
【図１】
0003153645.tif 000003
【図２】
0003153645.tif 000004
【図３】
0003153645.tif 000005